(57)【特許請求の範囲】
【請求項１】
乗かごと重量バランスをとるためのサブウエートがつり合いおもり枠に積載されるエレベータのつり合いおもりにおいて、
前記サブウエートは、略同一投影断面を有する鋳物製のサブウエート及び鋼板製のサブウエートのそれぞれが混載されてなるとともに、前記鋼板製のサブウエートが前記つり合いおもり枠の下方に、前記鋳物製のサブウエートが前記つり合いおもり枠の上方にそれぞれ積載され、
前記鋼板製のサブウエートは前記鋳物製のサブウエートより比重が大きく、小さな高さ寸法を有しており、
前記鋳物製のサブウエートの重量及び高さ寸法、前記鋼板製のサブウエートの重量及び高さ寸法に基づき、前記つい合いおもり枠の積載可能体積を飽和し、かつ、前記鋳物製のサブウエートの数が最大となる数の前記鋳物製のサブウエート及び前記鋼板製のサブウエートが前記つい合いおもり枠に積載されていることを特徴としたエレベータのつり合いおもり。
【発明の詳細な説明】
【技術分野】
【０００１】
本発明は、乗かごと重量バランスを取るためのサブウエートがつり合いおもり枠に積載されるエレベータのつり合いおもりに関する。
【背景技術】
【０００２】
エレベータは、昇降路を昇降する乗かごと、この乗かごの重量に相当するつり合いおもりとがつるべ式にバランスをとる構造となっているとともに、つり合いおもりは、ロープが接続されるつり合いおもり枠と、このつり合いおもり枠に積載されるサブウエートとからなっている。そして、サブウエートは、鋳物製若しくは鋼板製のものが主流となっている。しかして、近年、世界的な鋼材高騰により、つり合いおもり枠及びこれに積載されるサブウエートが、エレベータのコストに及ぼす影響が大きな割合を占めるようになってきており、サブウエートの選定はコストの観点から重要な要素の１つとなっている。そこで、従来、サブウエートの選定は、つり合いおもり枠の積載可能体積内でつり合いおもりとして必要な重量を満たすため、比重は小さいがコスト的に有利な鋳物製のサブウエート、或いは比重が大きいがコスト的に不利な鋼板製のサブウエートのどちらか一方を選択していた。
【発明の開示】
【発明が解決しようとする課題】
【０００３】
しかしながら、従来のつり合いおもりは、鋳物製のサブウエート、或いは鋼板製のサブウエートのどちらか一方が選択されるものであり、つり合いおもり枠の積載可能体積いっぱいに比重が小さい鋳物製のサブウエートを積載しても、つり合いおもりとして必要な重量に僅かに届かず、コスト的に不利である鋼板製のサブウエートを選択する場合がしばしばある。この場合、コストの上昇を招くことはもちろんのこと、つり合いおもり枠には比重が大きい鋼板製のサブウエートのみが積載されることから、サブウエートの全体体積はつり合いおもり枠の積載可能体積に対して大きな余裕をもったものとなり、空間の有効利用といった点でも問題があった。
【０００４】
本発明は、前述した従来技術における実状からなされたもので、その目的は、効率の良い空間利用によりコストの低減を図ることのできるエレベータのつり合いおもりを提供することにある。
【課題を解決するための手段】
【０００５】
前記目的を達成するために、本発明は、乗かごと重量バランスをとるためのサブウエートがつり合いおもり枠に積載されるエレベータのつり合いおもりにおいて、前記サブウエートは、略同一投影断面を有する鋳物製のサブウエート及び鋼板製のサブウエートのそれぞれが混載されてなるとともに、前記鋼板製のサブウエートが前記つり合いおもり枠の下方に、前記鋳物製のサブウエートが前記つり合いおもり枠の上方にそれぞれ積載され、前記鋼板製のサブウエートは前記鋳物製のサブウエートより比重が大きく、小さな高さ寸法を有しており、前記鋳物製のサブウエートの重量及び高さ寸法、前記鋼板製のサブウエートの重量及び高さ寸法に基づき、前記つい合いおもり枠の積載可能体積を飽和し、かつ、前記鋳物製のサブウエートの数が最大となる数の前記鋳物製のサブウエート及び前記鋼板製のサブウエートが前記つい合いおもり枠に積載されていることを特徴としている。
【０００６】
このように構成した本発明では、略同一投影断面を有する鋳物製のサブウエート及び鋼板製のサブウエートをつり合いおもり枠に混載することにより、つり合いおもりとして必要な重量を満たしたうえで、つり合いおもり枠の積載可能体積内で比重は小さいがコスト的に有利な鋳物製のサブウエートを可能な限り用いることができる。これによって、空間を効率良く利用しコストの低減を図ることができる。また、追加設備等の理由によりエレベータ据付け後に乗かごの重量が増加した場合、これにバランスさせるためつり合いおもりにサブウエートを追設する必要がある。しかしながら、前述したように鋳物製のサブウエート及び鋼板製のサブウエートがつり合いおもり枠の積載可能体積を飽和するように混載されており、サブウエートを単に追加することができない。そこで、比重の小さい鋳物製のサブウエートを取り除き、取り除いた鋳物製のサブウエートの重量と追加分の重量との総和に相当する鋼板製のサブウエートを積載する。したがって、比重の小さい鋳物製のサブウエートを比重の大きな鋼板製のサブウエートの上に設置することにより、作業を容易なものとすることができる。
【発明の効果】
【０００９】
本発明によれば、鋳物製のサブウエート及び鋼板製のサブウエートをつり合いおもり枠に混載し、つり合いおもりとして必要な重量を満たしたうえで、つり合いおもり枠の積載可能体積内で比重は小さいがコスト的に有利な鋳物製のサブウエートを可能な限り用いることで、コストの低減を図ることができる。また、比重の小さい鋳物製のサブウエートを比重の大きな鋼板製のサブウエートの上に設置することにより、サブウエートの追設作業を容易なものとすることができる。
【発明を実施するための最良の形態】
【００１０】
以下、本発明に係るエレベータのつり合いおもりの実施の形態を図に基づいて説明する。
【００１１】
図１は本発明に係るエレベータのつり合いおもりの一実施形態を示す正面図、図２は図１とは異なる方法でサブウエートを積載した状態を示す正面図、図３はサブウエートの追設作業後の状態を示す正面図、図４は鋳物製のサブウエートの平面図、図５は鋳物製のサブウエートの正面図、図６は鋳物製のサブウエートの側面図、図７は鋼板製のサブウエートの平面図、図８は鋼板製のサブウエートの正面図、図９は鋼板製のサブウエートの側面図、図１０はエレベータの概略構成図である。
【００１２】
せり上げ方式のエレベータは図１０に示すように、昇降路を昇降する昇降体、即ち乗かご１及びつり合いおもり２と、一端が昇降路上部、他端がつり合いおもり２に接続されるとともに、その中間部に、乗かご１がプーリ３を介して係合されるロープ４と、ロープ４の中間部が巻き掛けられ、ロープ４に駆動力を付与する巻上機５とを備えている。
【００１３】
つり合いおもり２は、ロープ４がその上部に接続されるつり合いおもり枠２１と、このつり合いおもり枠２１に、つり合いおもり枠２１の重量との和が乗かご１の重量に対応するように積載される複数のサブウエート２２とからなっている。また、つり合いおもり枠２１には所定の積載可能体積が設定されており、この積載可能体積に収まる数のサブウエート２２を積載し、乗かご１と重量バランスをとるようになっている。
【００１４】
そして、本実施形態のエレベータのつり合いおもりは図１及び図２に示すように、つり合いおもり枠２１に、略同一投影断面を有する鋳物製のサブウエート２２ａ及び鋼板製のサブウエート２２ｂのそれぞれを混載している。
【００１５】
鋳物製のサブウエート２２ａ及び鋼板製のサブウエート２２ｂは図４及び図７に示すように、それぞれ略同一投影断面を有している。しかし、図５、図６、図８、図９に示すように、鋳物製のサブウエート２２ａは鋼板製のサブウエート２２ｂと比較し、比重が小さく、大きな高さ寸法を有している。一方、鋼板製のサブウエート２２ｂは鋳物製のサブウエート２２ａと比較し、比重が大きく、小さな高さ寸法を有している。なお、鋳物製のサブウエート２２ａが鋼板製のサブウエート２２ｂと比較しコスト的に有利である。
【００１６】
そこで、各鋳物製のサブウエート２２ａの重量、及び高さ寸法、各鋼板製のサブウエート２２ｂの重量、及び高さ寸法に基づき、つり合いおもり枠２１の積載可能体積を飽和し、かつ、コスト的に有利な鋳物製のサブウエートの数が最大となるように、鋳物製のサブウエート２２ａ及び鋼板製のサブウエート２２ｂの数を算出する。そして、例えば図１に示すように、算出した数の鋼板製のサブウエート２２ｂをつり合いおもり枠２１の下方に、算出した数の鋳物製のサブウエート２２ａをつり合いおもり枠２１の上方に積載する。或いは、図２に示すように、算出した数の鋳物製のサブウエート２２ａをつり合いおもり枠の下方に、算出した数の鋼板製のサブウエート２２ｂをつり合いおもり枠２１の上方に積載する。
【００１７】
しかして、エレベータにあっては、しばしば顧客要望等により、エレベータ据付け後に、乗かご１に例えば５０ｋｇの重量を有するクーラを搭載する場合がある。この場合、つり合いおもり枠２１にも同様の、即ち５０ｋｇ分のサブウエート２２を積載する必要がある。しかしながら、前述したように本実施形態のつり合いおもり２にあっては、鋳物製のサブウエート２２ａ及び鋼板製のサブウエート２２ｂがつり合いおもり枠２１の積載可能体積を飽和するように混載されており、サブウエート２２を単に追加することはできない。そこで、図１を例にして説明すると、まず、つり合いおもり枠２１の上部に積載された比重の小さい鋳物製のサブウエート２２ａを所定数取り除き、次いで、図３に示すように、取り除いた鋳物製のサブウエート２２ａの重量と追加分の重量、即ち５０ｋｇとの総和に相当する鋼板製のサブウエート２２ｂを積載する。このように、エレベータ据付け後に乗かご１に機器を追加することも考慮に入れ、サブウエート２２の積載方法としては、図１に示すように、比重の大きな鋼板製のサブウエート２２ｂをつり合いおもり枠２１の下方に、比重の小さな鋳物製のサブウエート２２ａをつり合いおもり枠２１の上方に積載したほうが良い。
【００１８】
本実施形態によれば、鋳物製のサブウエート２２ａ及び鋼板製のサブウエート２２ｂをつり合いおもり枠２１に混載し、つり合いおもり２として必要な重量を満たしたうえで、つり合いおもり枠２１の積載可能体積内で比重は小さいがコスト的に有利な鋳物製のサブウエート２２ａを可能な限り用いることで、コストの低減を図ることができる。また、比重の小さい鋳物製のサブウエート２２ａを比重の大きな鋼板製のサブウエート２２ｂの上に設置することにより、サブウエート２２の追設作業を容易なものとすることができる。
【図面の簡単な説明】
【００１９】
【図１】本発明に係るエレベータのつり合いおもりの一実施形態を示す正面図である。
【図２】図１とは異なる方法でサブウエートを積載した状態を示す正面図である。
【図３】サブウエートの追設作業後の状態を示す正面図である。
【図４】鋳物製のサブウエートの平面図である。
【図５】鋳物製のサブウエートの正面図である。
【図６】鋳物製のサブウエートの側面図である。
【図７】鋼板製のサブウエートの平面図である。
【図８】鋼板製のサブウエートの正面図である。
【図９】鋼板製のサブウエートの側面図である。
【図１０】エレベータの概略構成図である。
【符号の説明】
【００２０】
１  乗かご
２  つり合いおもり
３  プーリ
４  ロープ
５  巻上機
２１  つり合いおもり枠
２２  サブウエート
２２ａ  鋳物製のサブウエート
２２ｂ  鋼板製のサブウエート
【図１】
0005354898.tif 000002
【図２】
0005354898.tif 000003
【図３】
0005354898.tif 000004
【図４】
0005354898.tif 000005
【図５】
0005354898.tif 000006
【図６】
0005354898.tif 000007
【図７】
0005354898.tif 000008
【図８】
0005354898.tif 000009
【図９】
0005354898.tif 000010
【図１０】
0005354898.tif 000011